(57)【要約】【課題】ボンベ等の特定の物品を移動させるのに、作業員の肉体的労力負担を軽減して物品の移動を便利にし、作業能率の向上が図られる手押し台車を提供する。【解決手段】左右一対の車輪２を有する基台３と、基台３の両側辺後端部から斜め後方に立ち上げ、後端部に操作用把持部８を形成した操作杆４と、基台上方で操作杆４の左右側杆部４ａから上向きに立ち上げた吊り杆５と、左右の吊り杆５上部に対向して装着され、物品に係止される吊り具６と、左右の車輪２前方に位置して基台３の両側辺前端部に装着した補助車輪７を備える。【選択図】図１
2006199164.tif 000002
【特許請求の範囲】
【請求項１】
左右一対の車輪を有する基台と、基台の両側辺後端部から斜め後方に立ち上げ、後端部に操作用把持部を形成した操作杆と、基台上方で操作杆の左右側杆部から上向きに立ち上げた吊り杆と、左右の吊り杆上部に対向して装着され、物品に係止される吊り具と、左右の車輪前方に位置して基台の両側辺前端部に装着した補助車輪を備えたことを特徴とする手押し台車。
【請求項２】
車輪および補助車輪が接地した状態で、左右の吊り杆の間で吊り具により吊持された物品の重心が、基台上方にあって車輪軸より前寄りに位置するように、左右側杆部上における吊り杆の位置を設定したことを特徴とする請求項１記載の手押し台車。
【請求項３】
左右の吊り杆の下端から基台の両側辺前端部に達する枠杆を延設し、該枠杆下端に旋回自在な補助車輪を装着したことを特徴とする請求項１記載の手押し台車。
【請求項４】
左右の吊り杆間に、物品前面部に当接するクッション部材を有する揺動阻止杆を前方に向けて突出状に架設し、車輪および補助車輪を接地させた状態で、左右の吊り杆が、僅小前傾姿勢を採って安定するようにしたことを特徴とする請求項１又は２記載の手押し台車。
【発明の詳細な説明】
【技術分野】
【０００１】
本発明は、物品を移動させる際に使用する手押し台車に関するものであり、さらに詳しくは、例えば、ボンベ等の特定の物品を移動させるのに、手軽に使用できて、狭い場所への物品の移動も容易にする手押し台車に関するものである。
【背景技術】
【０００２】
従来より、１００ｋｇ程度までの重量物とされる特定の物品を、一人の作業員によって所定の場所まで移動させる場合に、移動対象とする物品の種類によっても異なるが、手押し式の二輪車や四輪車式の手押し台車を使用して移動させることが広く行われている。
【０００３】
特定の物品として、例えば、工場生産された液体酸素等を詰めたボンベ等（以下にボンベという）を、自動車を使用して消費先に配達するような場合には、自動車へのボンベの積み込み作業は、工場設備を利用して作業員の労力に頼ることなく能率よく行われるが、消費先に自動車が到着してから自動車から降ろしたボンベを消費先の所定の場所まで届けるには、普通、自動車に備え付けの四輪車式の手押し台車を使用する場合が多い。
【０００４】
この四輪車式の手押し台車とは、平面的な四角形状の荷台の下部に、左右一対をなす固定輪とされる後輪と、旋回自在な自在輪とされる前輪を有し、荷台後部に折畳み自在な操作杆を備えたものである。
【０００５】
このような手押し台車による消費先でのボンベの移動（配達）は、自動車からボンベは、一旦、地面に降ろされ、このボンベを持ち上げて台車の荷台に載せ、荷台上でボンベが動かないように固定してから台車ごと所定の場所まで移動させて届けることが行われている。
【発明の開示】
【発明が解決しようとする課題】
【０００６】
しかしながら、前記するような自動車に備え付けの手押し台車は、汎用製品とされ、ボンベ等の特定の物品を専用に移動させるのに便利なようにはできてはいないので、移動対象とされる特定の物品が、ボンベの場合は、台車の荷台に対するボンベの上げ降ろしは人力によって行われる。
【０００７】
このような人力による荷台へのボンベの上げ降ろし作業は、非常に重労働であり、しかも無理な姿勢をとりながらの作業となるため、疲労も大きく、所謂ギックリ腰の要因になったり、手足を痛めたりし易いものである。
【０００８】
また、台車の荷台に対するボンベの上げ降ろし時には、台車自体の固定や、荷台に対するボンベの固定や、固定解除といった作業も必要で、これらの作業は煩雑なものであった。
【０００９】
さらに、移動対象が単体のボンベの場合は、汎用製品とされる自動車に備え付けの手押し台車の荷台は、ボンベの大きさ（直径）に比べて平面的な拡がりが大きいために、消費先において、ボンベを届ける所定の場所に至る移動経路が狭いときは、台車によるボンベの移動が制限され、人力によるボンベの移動を余儀なくされるようなこともある。
【００１０】
本発明は、このような状況に鑑みてなされたものであって、工場生産された液体酸素等を詰めたボンベ等の特定の物品を、消費先に配達するようなときに、消費先における作業員の肉体的労力負担を軽減して物品の移動を便利にし、作業能率の向上が図られる手押し台車を提供することを目的としたものである。
【課題を解決するための手段】
【００１１】
前記の目的を達成するための本発明に係る手押し台車は、左右一対の車輪を有する基台と、基台の両側辺後端部から斜め後方に立ち上げ、後端部に操作用把持部を形成した操作杆と、基台上方で操作杆の左右側杆部から上向きに立ち上げた吊り杆と、左右の吊り杆上部に対向して装着され、物品に係止される吊り具と、左右の車輪前方に位置して基台の両側辺前端部に装着した補助車輪を備えたことを特徴とする。
【００１２】
ここで、吊り具は吊持される物品に設けた吊持部に合わせて係脱自在に係止されるもので、例えば、移動対象とされる物品がボンベの場合は、ボンベの外周面上部の対称位置に設けた取手に係止できるように、取手の握り部が入り込む上向きの係止溝を下部に有する吊り具を左右の吊り杆上部に垂下状に装着している。
【００１３】
このように構成した本発明に係る手押し台車を使用して、ボンベを移動させるときは、操作杆を操作して操作杆の左右側杆部の間にボンベを入れ、吊り杆に装着した吊り具を、ボンベ外周面上部に設けた取手に下方から係止させ、そのままの操作用把持部を上向きに押上操作すると、車輪を支点にして操作杆の操作用把持部が持ち上がる過程で吊り具を介してボンベが吊り上げられ、このときの操作杆の上向き回動に伴いボンベは基台上方に移動し、補助車輪が接地したところで、ボンベは基台上に吊持状態で安定する。
【００１４】
こうしてボンベは手押し台車ごと所定の場所へ移動させることができ、基台上に吊持状態にあるボンベを降ろすときは、前記の逆順の操作杆の操作でボンベを降ろすことができる。
【００１５】
従って、本発明に係る手押し台車によれば、ボンベ等の特定の物品の移動に使用して物品の積み降ろしは、左右の車輪を支点にした梃子の原理で行われ、左右の車輪を支点にして操作杆の左右側杆部上における物品の吊持位置（作用点）より操作杆の操作用把持部（力点）が外側に離れて位置するので、ボンベを直接に上げ降ろしするのに比べ、軽い力で物品の上げ降ろしができ、作業員の肉体的労力負担を軽減して作業能率の向上が図られる。
【００１６】
また、本発明に係る手押し台車の台車自体の横への拡がり幅（左右の車輪間の最大幅）は、移動対象とされる物品の横への拡がり幅（ボンベの場合は、ボンベの直径よりは若干大きくなる両方の取手部間の最大幅）に近づけることが可能となるので、移動経路の狭い場所への台車の移動が緩和されて手押し台車の使用を便利にする。
【００１７】
前記構成において、車輪および補助車輪が接地した状態で、左右の吊り杆間で吊り具により吊持された物品の重心が、基台上方にあって車輪軸より前寄りに位置するように、左右側杆部上における吊り杆の位置を設定した構成にすると、物品移動中に、吊り具により台車上で吊持状態にある物品が多少、揺動することがあっても、物品の吊持状態が不安定になるようなことはなく、台車ごとの移動をし易くする。
【００１８】
前記構成において、左右の吊り杆の下端から基台の両側辺前端部に達する枠杆を延設し、該枠杆下端に旋回自在な補助車輪を装着した構成にすると、吊り杆を立ち上げた操作杆の左右側杆部が枠杆により立体的に補強されて耐荷重性を高め、また、吊り杆と枠杆は１本の管体を屈曲構成にして構成の簡素化が図られ、しかも、管体からなる枠杆下端を下向きに両側辺前端部に結合してその枠杆下端に補助車輪を装着した構成は、外観的にも優れたものとなる。
【００１９】
前記構成において、左右の吊り杆間に、物品前面部に当接するクッション部材を有する揺動阻止杆を前方に向けて突出状に架設し、車輪および補助車輪を接地させた状態で、左右の吊り杆が、僅小前傾姿勢を採って安定するようにした構成にすると、左右の吊り具により吊持状態にある物品の前面部をクッション部材に凭れ掛けさせるように当接させて物品の揺動阻止が図られるので、台車上に吊持状態にある物品は、台車上の定位置に載置状態にある物品と変わりなく安定し、台車の移動をし易くする。
【発明の効果】
【００２０】
本発明に係る手押し台車によれば、特定の物品の移動に使用して物品の上げ降ろしは、車輪を支点にした操作杆の操作で梃子の原理で行われ、軽い力で台車に対する物品の上げ降ろしができるので、作業員の肉体的労力負担を軽減して作業能率の向上が図られる。また、台車自体の横への拡がり幅は、移動対象とされる物品の横への拡がり幅に近づけることが可能となるので、狭い場所への台車の移動が緩和されて手押し台車の使用を便利にする。
【発明を実施するための最良の形態】
【００２１】
以下、図面を参照しながら、本発明の実施例に係る手押し台車について具体的に説明する。
【実施例１】
【００２２】
図１は本発明に係る手押し台車の全体を示す斜視図、図２は特定の物品とされるボンベを吊持する直前の状態を示す手押し台車の側面図、図３はボンベを吊持して移動可能な状態を示す手押し台車の側面図である。
【００２３】
手押し台車１は、左右一対の車輪２を有する基台３と、基台３の両側辺後端部から斜め後方に立ち上げた操作杆４と、基台３上方で操作杆４の左右側杆部４ａから上向きに立ち上げた吊り杆５と、両方の吊り杆５の上部に対向して垂下状に装着され、物品とされるボンベＡ（以下、ボンベＡという。）を吊持する吊り具６と、左右の車輪２の前方に位置して基台３の両側辺前端部に装着した補助車輪７とから構成されている。
【００２４】
基台３は、左右の車輪２の車輪軸（図示せず）を支持しており、台車１の移動を動力的に行う場合は、車輪２を駆動する周知の動力源が基台内に装着される。また、実施例の車輪２は、通常の平地的面を移動する一般的な車輪を示しているが、階段のような段差のある場所での登り降りを可能にするためには、例えば、放射状に突出する複数本のアームにそれぞれに車輪を取り付け、台車が移動しているときに接地している車輪がロックされると、アームが回転して階段の登り降りができるような車輪構成であっても良い。
【００２５】
操作杆４は、１本の管体を曲成して構成され、後端部に操作用把持部８を形成し、操作用把持部８から平行に延びる左右の側杆部４ａの両端部を基台３の両側辺後端部に結合し、また、左右の側杆部４ａは途中から後向きにくの状に屈曲している。
【００２６】
吊り杆５は、操作杆４同様に管体からなるもので、左右の吊り杆５はともに管体を前向きにくの字状に屈曲して構成され、屈曲部を操作杆４の屈曲部に背向的に溶接等によって結合し、屈曲部から上半部分を吊り杆５として上向きに立ち上げ、屈曲部から下半部分は枠杆９として基台３の両側辺前端部まで延長して基台３に結合しており、この枠杆９により操作杆４の左右側杆部４ａを立体的に補強して耐荷重性を高めている。また、枠杆９の端部は下向きに曲成して旋回自在な補助車輪７を装着し、構成の簡素化が図られている。
【００２７】
また、吊り杆５は、車採２と補助車輪７を接地させて移動可能な状態で、左右の側杆部４ａ上で僅小前傾姿勢を探り、吊り具６により吊持状態にあるボンベＡの重心が車輪軸より前寄りに位置するように、左右の側杆部４ａにおける吊り杆５の位置を設定している。また、実施例では、左右の吊り杆５間に、前方に向けて突出状に円弧状をなす揺動阻止杆１２を架設し、その内面側にクッション部材１２ａを取着しており、吊り具６により吊持状態にあるボンベＡの前面部をクッション部材１２ａに凭れ掛けさせるように当接させて移動時のボンベＡの揺動を軽減するようにしている。
【００２８】
吊り具６は、吊持される物品に設けた吊持部に合わせて係脱自在に係止されるもので、ボンベＡを吊持する場合は、ボンベＡの周面上部の対称位置に設けた取手１０に係止されるもので、実施例では、下部に、取手１０の握り部が入り込む上向きの係止溝６ａを曲成した１枚の板体からなる吊り具６を用い、この吊り具６の上端部を取着ピン１１により左右の吊り具６上部に垂下状に揺動自在に装着している。
【００２９】
このように構成した本発明に係る手押し台車１を使用して、特定の物品として、ボンベＡを移動させるときは、操作杆４の操作用把持部８を持ち上げ、地面に置かれたボンベＡに基台３後部を近づけ、操作杆４の操作用把持部８を下向きに操作して操作杆４の左右側杆部４ａの間ボンベＡを入れ、吊り杆５の上部に装着した吊り具６をボンベＡの外周面に設けた取手１０に位置合わせを行い、操作用把持部８を上向きに持ち上げて取手１０の握り部を吊り具６の上向きの係止溝６ａに入り込せて係止させ、このまま操作用把持部８を上向きに押上操作すると、吊り具６の係止溝６ａにボンベＡの取手１０が載せられる形で係止してボンベＡが吊り上げられる。こうして操作杆４の上向き回動に伴ってボンベＡは基台３上方に移動し、補助車輪７が接地すると同時に、物品Ａの前面部が左右の吊り杆５間に架設した揺動阻止杆１２の内面側に取着したクッション部材１２ａに当接し、ボンベＡは基台３上に吊持状態で安定する。
【００３０】
こうしてボンベＡは台車１ごと、所定の場所へ安定して移動させることができる。また、台車１上に吊持状態にあるボンベＡを降ろすときは、前記の逆順の操作杆４の操作でボンベＡは無難に降ろされる。
【産業上の利用可能性】
【００３１】
本発明に係る手押し台車は、工場等において多量生産される物品として、重量的には、一人の作業員が辛うじて直接に持ち上げることができる程度までとされる重量制限はあるが、一人の作業員によって物品を移動させるときの補助具として、使い勝手が良く、取り扱いの容易性と便利さとが相まって多方面に使用して有用なものである。
【図面の簡単な説明】
【００３２】
【図１】本発明に係る手押し台車の全体を示す斜視図である。
【図２】特定の物品とされるボンベを吊持する直前の状態を示す手押し台車の側面図である。
【図３】ボンベを吊持して移動可能な状態を示す手押し台車の側面図である。
【符号の説明】
【００３３】
１  台車
２  車輪
３  基台
４  操作杆
４ａ  左右側杆部
５  吊り杆
６  吊り具
６ａ  係止溝
７  補助車輪
８  操作用把持部
９  枠杆
１０  取手
１１  取着ピン
１２  揺動阻止杆
１２ａ  クッション部材
【図１】
2006199164.tif 000003
【図２】
2006199164.tif 000004
【図３】
2006199164.tif 000005